【手続補正書】
【提出日】平成19年3月13日(2007.3.13)
【手続補正１】
【補正対象書類名】明細書
【補正対象項目名】特許請求の範囲
【補正方法】変更
【補正の内容】
【特許請求の範囲】
【請求項１】  伝送リンクに関連する分散を補償するように動作可能な光学素子であって、
少なくとも一つの伝送リンクから、光学信号を受け取るように動作可能な入力ポートであって、前記光学信号は１つ又はそれより多くの光学信号波長を有し、前記少なくとも一つの伝送リンクは、前記入力ポートに結合しており、長さ、光学損失、分散、分散の符号及び遮断波長を有する分布ラマン増幅器を含むような入力ポートと、
前記入力ポートに結合しており、前記光学信号を増幅し、前記少なくとも一つの伝送リンクに関連する分散を補償するように動作可能なラマン利得ファイバであって、当該ラマン利得ファイバは、前記少なくとも一つの伝送リンクの分散−長さ積に大きさがほぼ等しい分散−長さ積を有し、当該ラマン利得ファイバは前記少なくとも一つの伝送リンクと関連する分散と反対の符号である分散の符号を有するようなラマン利得ファイバと、
前記ラマン利得ファイバと結合し、第１の方向に前記ラマン利得ファイバを伝播する第１のポンピング信号を生成するように動作可能な第１のポンピングソースと、
前記ラマン利得ファイバと結合し、前記第１の方向と逆方向に前記ラマン利得ファイバを伝播する第２のポンピング信号を生成するように動作可能な第２のポンピングソースであって、前記第１のポンピング信号と前記第２のポンピング信号は、前記伝送リンクの光学損失及び前記ラマン利得ファイバの光学損失を補償するように動作可能であるような第２のポンピングソースと、
前記増幅された光学信号を出力する出力ポートと、
を有することを特徴とする光学素子。
【請求項２】  請求項１に記載の光学素子において、前記ラマン利得ファイバは、前記利得ファイバがポンピング波長及び前記信号波長の両方に対して単一の空間モードとなるように、前記ポンピング波長より短い遮断波長を有することを特徴とする光学素子。
【請求項３】  請求項１に記載の光学素子において、前記光学信号は、開ループで増幅される光学素子。
【請求項４】  請求項１に記載の光学素子において、前記分布ラマン増幅器は、ポンピング機構によって双方向にポンピングされることを特徴とする光学素子。
【請求項５】  請求項１に記載の光学素子において、前記光学信号は、閉ループで増幅されることを特徴とする光学素子。
【請求項６】  請求項１に記載の光学素子において、前記ラマン利得ファイバは、前記ポンピングソースによって双方向にポンピングされる広帯域キャビティを少なくとも部分的に画定することを特徴とする光学素子。
【請求項７】  請求項１に記載の光学素子において、前記ラマン利得ファイバは、ラマン利得ファイバであり、前記広帯域キャビティはサニャック・ラマン・キャビティであることを特徴とする光学素子。
【請求項８】  請求項１に記載の光学素子において、前記分布ラマン利得フィルタは、循環ループ・キャビティを含み、前記利得ファイバは、前記ポンピングソースによって逆伝播でポンピングされる二つの個別のセグメントを有することを特徴とする光学素子。
【請求項９】  請求項１に記載の光学素子において、前記伝送ラインは、異なる波長チャネルに亘って非均一的な利得を有する多重波長伝送ラインであり、さらに前記異なる波長チャネルに亘って非均一的な利得を均一化するための第二の光学素子を具備する光学素子。
【請求項１０】  請求項１に記載の光学素子において、前記第１のポンピングソース及び前記第２のポンピングソースのそれぞれは、少なくとも一つのレーザダイオードであることを特徴とする光学素子。
【請求項１１】  請求項１に記載の光学素子において、前記第１のポンピングソース及び前記第２のポンピングソースの少なくとも一つは、ラマン・オシレータであることを特徴とする光学素子。
【請求項１２】  請求項１に記載の光学素子において、前記第１のポンピングソース及び前記第２のポンピングソースの少なくとも一つは、ラマン波長シフタであることを特徴とする光学素子。
【請求項１３】  請求項１に記載の光学素子において、前記ラマン利得ファイバは、前記第１のポンピングソース又は前記第２のポンピングソースの少なくとも一つによってポンピングされる時に、ラマン拡散を示すことを特徴とする光学素子。
【請求項１４】  請求項１に記載の光学素子において、前記少なくとも一つの伝送リンクの分散−長さ積の大きさとほぼ等しい前記分布ラマン利得媒体の分散−長さ積の大きさは、前記少なくとも一つの伝送リンクの分散−長さ積の大きさの１０パーセント内である分散−長さ積を有することを特徴とする光学素子。
【請求項１５】  請求項３に記載の光学素子において、前記ラマン利得ファイバは２つの個別の利得セグメントを有することを特徴とする光学素子。
【請求項１６】  請求項８に記載の光学素子において、前記分布ラマン利得媒体はチャープ・ブラグ回折格子を含むことを特徴とする光学素子。
【請求項１７】  請求項９に記載の光学素子において、前記第２の光学素子は、少なくとも一段のマッハ・ツェンダ干渉計を含むことを特徴とする光学素子。
【請求項１８】  請求項１５に記載の光学素子において、２つのセグメントを接続するアイソレータをさらに含む光学素子。
【請求項１９】  請求項１５に記載の光学素子において、２つのセグメントを接続する利得等価素子をさらに含む光学素子。
【請求項２０】  請求項１５に記載の光学素子において、２つのセグメントを接続する光学アド／ドロップ・マルチプレクサをさらに含む光学素子。
【請求項２１】  請求項２０に記載の光学素子において、前記光学アド／ドロップ・マルチプレクサに結合した利得等価素子をさらに含む光学素子。
【請求項２２】  ファイバ光学伝送システムであって、当該ファイバ光学伝送システムは、
少なくとも一つの伝送ラインから、光学信号を受け取るように動作可能な信号入力ポートであって、前記光学信号は１つ又はそれより多くの信号波長を有し、前記少なくとも一つの伝送ラインは、長さ、光学損失、分散、分散の符号及び遮断波長を有するような信号入力ポートと、
前記信号入力ポートに結合しており、前記光学信号を増幅するように動作可能なラマン利得ファイバであって、当該ラマン利得ファイバは光学損失を有し、第１のラマン利得セグメント及び第２のラマン利得セグメントを含み、前記光学信号は前記ラマン利得ファイバを第１の方向に伝播するようなラマン利得ファイバと、
前記ラマン利得ファイバと結合するように構成されたポンピングソースであって、当該ポンピングソースは、前記伝送リンクの光学損失及び前記ラマン利得ファイバの光学損失を補償するために前記ラマン利得ファイバをポンピングするポンピング信号を生成するように動作可能であり、前記ポンピング信号はポンピング波長及びポンピング電力を有し、前記ポンピングソースは、前記光学信号が有効利得を受けるのに十分な高さのポンピングレベルのポンピング信号を生成することを特徴とするポンピングソースと、
前記増光学信号を出力する信号出力ポートと、
前記信号入力ポート及び前記信号出力ポートと結合したポンピング分岐であって、当該ポンピング分岐は、前記第１のラマン利得セグメントと前記第２のラマン利得セグメントの間で前記ポンピング信号の少なくとも一部に結合するように動作可能であり、前記第１のラマン利得セグメントは、前記信号入力ポートと結合し、前記第２のラマン利得セグメントは、前記信号出力ポートと結合し、前記ポンピング信号は、前記第１の方向と逆方向に前記第１のラマン利得セグメントを伝播し、次に前記ポンピング信号のポンピング電力を使い果たすまで前記第２のセグメントを伝播するようなポンピング分路と、
を有することを特徴とするファイバ光学伝送システム。
【請求項２３】  請求項２２に記載のファイバ光学伝送システムにおいて、前記第１及び第２のラマン利得セグメントを接続するためのアイソレータをさらに含むファイバ光学伝送システム。
【請求項２４】  請求項２２に記載のファイバ光学伝送システムにおいて、前記第１及び第２のラマン利得セグメントを接続するための利得等化素子をさらに含むファイバ光学伝送システム。
【請求項２５】  請求項２２に記載のファイバ光学伝送システムにおいて、前記第１及び第２のラマン利得セグメントを接続するための光学アド／ドロップ・マルチプレクサをさらに含むファイバ光学伝送システム。
【請求項２６】  請求項２２に記載のファイバ光学伝送システムにおいて、前記第２のラマン利得セグメントは、前記ポンピングソースによって双方向にポンピングされることを特徴とするファイバ光学伝送システム。
【請求項２７】  広帯域増幅方法であって、
１４３０乃至１６２０ナノメートルの波長を有する光学信号をあらかじめ選択された波長で第１のビームと第２のビームに分割するステップと、
前記第１のビームを、少なくとも５０ｐｓ／ｎｍ−ｋｍの分散の大きさを有する分散補償ファイバを含むラマン増幅器組立品に導き、増幅された第１のビームを生成するステップと、
前記第２のビームを少なくとも１つの希土類ドープファイバ増幅器に導き、増幅された第２のビームを生成するステップと、
前記増幅された第１及び第２のビームを結合するステップと、を有することを特徴とする広帯域増幅方法。
【請求項２８】  請求項２７に記載の方法において、前記ラマン増幅器組立品は、ラマン増幅器を含む方法。
【請求項２９】  請求項２７に記載の方法において、前記ラマン増幅器組立品は、伝送線に結合している方法。
【請求項３０】  請求項２９に記載の方法において、前記伝送線は、少なくとも５ｐｓ／ｎｍ−ｋｍの分散の大きさを有する方法。
【請求項３１】  請求項２９に記載の方法において、前記伝送線は、１−５ｐｓ／ｎｍ−ｋｍの範囲の分散の大きさを有する方法。
【請求項３２】  請求項２９に記載の方法において、前記伝送線は、１ｐｓ／ｎｍ−ｋｍより小さい分散の大きさを有する方法。
【請求項３３】  請求項３０に記載の方法において、前記ラマン増幅器組立品は、前記伝送線に挿入されたディスクリートラマン増幅器を含む方法。
【請求項３４】  請求項２７に記載の方法において、前記ラマン増幅器組立品は、ディスクリートラマン増幅器及び分散ラマン増幅器を含む方法。
【請求項３５】  請求項２７に記載の方法において、前記ラマン増幅器組立品の利得の少なくとも一部は、分散補償ファイバ内にある方法。
【請求項３６】  広帯域通信システムにおけるＷＤＭ波長を伝送する方法であって、
送信機組立品から複数のＷＤＭ波長を伝送線に沿って伝搬させるステップと、
前記複数の波長の少なくとも一部を、分散ラマン増幅器及びディスクリートラマン増幅器を含むラマン増幅器組立品であって、それの少なくとも一部が、複数の増幅されたＷＤＭ波長を生成するための、少なくとも５０ｐｓ／ｎｍ−ｋｍの分散の大きさを有する分散補償ファイバを含むようなラマン増幅器組立品、によって増幅するステップと、
前記複数の増幅されたＷＤＭ波長を受信機組立品で受信するステップと、を有することを特徴とする方法。
【請求項３７】  請求項３６に記載の方法において、前記ＷＤＭ波長の少なくとも一部は、１５３０乃至１５７０ナノメートルの波長範囲にある方法。
【請求項３８】  請求項３６に記載の方法において、前記ＷＤＭ波長の少なくとも一部は、１５７０乃至１６３０ナノメートルの波長範囲にある方法。
【請求項３９】  請求項３６に記載の方法において、前記ＷＤＭ波長の少なくとも一部は、１５３０乃至１５７０ナノメートルの波長範囲及び１５７０乃至１６３０ナノメートルの波長範囲にある方法。
【請求項４０】  請求項３６に記載の方法において、前記伝送線は、少なくとも５ｐｓ／ｎｍ−ｋｍの分散の大きさを有する方法。
【請求項４１】  請求項３６に記載の方法において、前記伝送線は、１−５ｐｓ／ｎｍ−ｋｍの範囲の分散の大きさを有する方法。
【請求項４２】  請求項３６に記載の方法において、前記伝送線は、１ｐｓ／ｎｍ−ｋｍより小さい分散の大きさを有する方法。
【請求項４３】  広帯域通信システムにおけるＷＤＭ波長を伝送する方法であって、
送信機組立品から１５３０乃至１６２０ナノメートルの波長範囲の第１の複数のＷＤＭ波長を伝送線に沿って伝搬させるステップと、
１４３０乃至１５３０ナノメートルの波長範囲の第２の複数のＷＤＭ波長を前記伝送線に導くステップと、
前記第２の複数のＷＤＭ波長を、前記第２の複数のＷＤＭ波長が前記伝送線に導かれた後に、少なくとも５０ｐｓ／ｎｍ−ｋｍの分散の大きさを有する分散補償ファイバを含むラマン増幅器組立品におけるラマン増幅によって増幅するステップと、
前記第１及び第２の複数のＷＤＭ波長を受信機組立品で受信するステップと、を有することを特徴とする方法。
【請求項４４】  請求項４３に記載の方法において、前記伝送線は、少なくとも５ｐｓ／ｎｍ−ｋｍの分散の大きさを有する方法。
【請求項４５】  請求項４３に記載の方法において、前記伝送線は、１−５ｐｓ／ｎｍ−ｋｍの範囲の分散の大きさを有する方法。
【請求項４６】  請求項４３に記載の方法において、前記伝送線は、１ｐｓ／ｎｍ−ｋｍより小さい分散の大きさを有する方法。
【請求項４７】  請求項４１に記載の方法において、前記ラマン増幅器組立品は、前記伝送線に挿入されたディスクリートラマン増幅器を含む方法。
【請求項４８】  請求項４３に記載の方法において、前記ラマン増幅器組立品は、分散ラマン増幅器を含み、前記分散ラマン増幅器の利得の少なくとも一部は、前記伝送線内にある方法。
【請求項４９】  請求項４３に記載の方法において、前記ラマン増幅器組立品は、分散ラマン増幅器及びディスクリートラマン増幅器を含む方法。
【請求項５０】  請求項４３に記載の方法において、前記ラマン増幅器組立品の利得の少なくとも一部は、前記分散補償ファイバ内にある方法。